(57)【特許請求の範囲】
【請求項１】
支軸に回動自在に設けられ遊技者にとって相対的に不利な閉状態と有利な開状態とに可変する開閉部材と、電気的駆動源の駆動力を前記開閉部材に伝達し該開閉部材を開閉させる伝達部材とを備えた遊技機用可変入賞装置であって、
前記開閉部材には、前記伝達部材が連係して該開閉部材を開方向に作用させるときに連係する第一作用部と、該伝達部材が開閉部材を閉方向に作用させるときに連係する第二作用部とが前記支軸に偏心した位置にそれぞれ軸線方向に突出して設けられ、
前記伝達部材は、前記支軸より上方で且つ該支軸と平行な回動軸により前記支軸の軸線に対して略直交する面方向に沿って揺動自在に設けられ、その伝達部材には、前記第一作用部及び第二作用部と連係する操作部を備えると共に、前記開閉部材の閉状態において、該開閉部材の開動作における前記第一作用部又は第二作用部の少なくともいずれか一方の移動を前記伝達部材の可動方向に交差する方向で受け止め可能な位置に配置され、前記開閉部材に対し外部から開方向へ回動させる外力が加えられた場合には、前記第一作用部又は第二作用部の移動を規制して当該開閉部材の開状態への移行を阻止するストッパー部が設けられており、
前記ストッパー部は、前記開閉部材の閉状態において該開閉部材に対し外部から開方向の回動力が加えられると前記第一作用部又は第二作用部が当接して作用する作用力が前記回動軸に向かう形状とし、
前記開閉部材は、前記電気的駆動源の駆動により前記伝達部材が作動し、前記ストッパー部が前記第一作用部又は第二作用部の回動軌跡上から離脱して前記操作部が前記第一作用部に作用することで開状態に設定される一方、前記電気的駆動源の駆動により前記伝達部材が復動し、前記操作部が前記第二作用部に作用することで閉状態に設定されることを特徴とする遊技機用可変入賞装置。
【請求項２】
前記操作部は前記開閉部材の閉状態において、前記第一作用部と第二作用部との間に位置すると共に前記第一作用部と所定の間隙をもって位置し、前記電気的駆動源の駆動により前記操作部が前記所定の間隙を移動し第一作用部に当接したときには、前記ストッパー部が隣接又は当接する前記第一作用部又は第二作用部の回動軌跡上から離脱し、前記開閉部材が回動し得るようにした請求項１記載の遊技機用可変入賞装置。
【請求項３】
請求項１又は２に記載の遊技機用可変入賞装置を用いたことを特徴とする遊技機。
【発明の詳細な説明】
【技術分野】
【０００１】
本発明は、遊技機用可変入賞装置及びそれを用いた遊技機に関し、特に回動可能に設けられる開閉部材を外部操作によって不当に開いて賞球を獲得する不正行為を防止するための防犯機構を備えた遊技機用可変入賞装置及びそれを用いた遊技機に関する。
【背景技術】
【０００２】
従来、ぱちんこ機、アレンジボール式遊技機等の弾球遊技機を含む種々の遊技機に設けられる可変入賞装置として、ソレノイド等の電気的駆動源により開閉翼片又は開閉扉等の開閉部材を起立又は傾倒状態として球受入口に打球を入り難くしたり、打球を入り易くしたりするものがある。しかし、このような可変入賞装置は、ソレノイドが作動していないときに、外部からピアノ線やセル板等の不正道具を遊技盤前面とガラス板との間に侵入させて開閉部材に引掛けて、開閉部材を無理矢理に開放できる構造である。そのため、不当に賞球を獲得する不正行為が多発したことから、外部から可変入賞装置の開閉部材を開けようとしても開閉部材が開放しないように、不正行為を防止する目的の可変入賞装置が提案されている（例えば、特許文献１及び特許文献２参照）。
【先行技術文献】
【特許文献】
【０００３】
【特許文献１】実開平１−９０５９２号公報
【特許文献２】特開２０００−２７９５８５号公報
【発明の概要】
【発明が解決しようとする課題】
【０００４】
しかしながら、特許文献１の可変入賞装置は、連結杆の側端部とクランク部材に設けた係止片を当接させ外力による回動を防止するものの、ソレノイドの励磁により連結杆とクランク部材が同時に回動する構造であるため回動を防止する箇所は一点のみであり、ロックが外れ易く、しかもこじれや摩耗を生じやすい。さらに、連結杆とクランク部材の回動方向が同じであるため、無理に開放しようとすると簡単にロックが外れ、確実なロック効果を期待できないという問題がある。
【０００５】
また、特許文献２の可変入賞装置は、外部から不正に開閉部材を開けようとしても開閉部材が開くことがなく、不正行為を防止することができるものの、開閉扉を開閉させる部材以外に開閉扉をロックする部材を必要とするため、部品点数が多くなりコストが増加すると共に組付けの作業工程が煩雑化する問題がある。
【０００６】
本発明は、上記課題を解決するためになされたものであり、簡単な構成でありながら外部から不正に開閉部材を強引に力強く開けようとしても開閉部材が開くことがなく、確実に不正行為を防止することができる遊技機用可変入賞装置及びそれを用いた遊技機を提供することを目的としている。
【課題を解決するための手段】
【０００７】
上記目的を達成するために、本発明の遊技機用可変入賞装置は、支軸に回動自在に設けられ遊技者にとって相対的に不利な閉状態と有利な開状態とに可変する開閉部材と、電気的駆動源の駆動力を前記開閉部材に伝達し該開閉部材を開閉させる伝達部材とを備えた可変入賞装置であって、前記開閉部材には、前記伝達部材が連係して該開閉部材を開方向に作用させるときに連係する第一作用部と、該伝達部材が開閉部材を閉方向に作用させるときに連係する第二作用部とが前記支軸に偏心した位置にそれぞれ軸線方向に突出して設けられ、前記伝達部材は、前記支軸より上方で且つ該支軸と平行な回動軸により前記支軸の軸線に対して略直交する面方向に沿って揺動自在に設けられ、その伝達部材には、前記第一作用部及び第二作用部と連係する操作部を備えると共に、前記開閉部材の閉状態において、該開閉部材の開動作における前記第一作用部又は第二作用部の少なくともいずれか一方の移動を前記伝達部材の可動方向に交差する方向で受け止め可能な位置に配置され、前記開閉部材に対し外部から開方向へ回動させる外力が加えられた場合には、前記第一作用部又は第二作用部の移動を規制して当該開閉部材の開状態への移行を阻止するストッパー部が設けられており、前記ストッパー部は、前記開閉部材の閉状態において該開閉部材に対し外部から開方向の回動力が加えられると前記第一作用部又は第二作用部が当接して作用する作用力が前記回動軸に向かう形状とし、前記開閉部材は、前記電気的駆動源の駆動により前記伝達部材が作動し、前記ストッパー部が前記第一作用部又は第二作用部の回動軌跡上から離脱して前記操作部が前記第一作用部に作用することで開状態に設定される一方、前記電気的駆動源の駆動により前記伝達部材が復動し、前記操作部が前記第二作用部に作用することで閉状態に設定されることを特徴とする。ここでいう「電気的駆動源」とは電気的信号を受けて伝達部材を操作するアクチュエータの総称であり、例えばモータやソレノイド等が相当する。
【０００８】
上記構成により、電気的駆動源の非駆動状態で開閉部材が閉状態にあるとき、操作部のストッパー部によって第一作用部又は第二作用部の回転動作をロックして開閉部材の開方向への回動を阻止する。そして、電気的駆動源が駆動して作動部材が作動すると、操作部が第一操作部に接触係合すると共にストッパー部が第一作用部又は第二作用部の回動軌跡上から離脱することにより、第一作用部又は第二作用部との干渉が回避されて第一作用部又は第二作用部の回動阻止を解除し開閉部材が回動する。言い換えれば、開閉部材は電気的駆動源の駆動力でしか回動させることができない。したがって、電気的駆動源の非駆動状態で開閉部材に開方向の無用な作用力が働いたとしても、第一作用部又は第二作用部がストッパー部に衝止して開閉部材が開放することがない。また、伝達部材が支軸と交差する方向に往復可動することで、伝達部材の可動領域が開閉部材の可動領域と略平行な領域となるので、可変入賞装置を奥行き方向にコンパクトにすることができる。また、伝達部材を誤作動させることはなく、無用に開閉部材を開放させることはない。さらに、作用力を回動軸で受けることにより、電気的駆動源に負荷がかかることがなく、電気的駆動源を破損するような不具合を引き起こすことはない。また、前記支軸と回動軸とを略鉛直状に設けることにより、前記開閉部材及び伝達部材を幅方向にコンパクトにすることができる。ひいては、伝達部材の可動範囲を小さくすることができ、可変入賞装置のコンパクト化を図ることができる。
【０００９】
また、前記操作部は前記開閉部材の閉状態において、前記第一作用部と第二作用部との間に位置すると共に前記第一作用部と所定の間隙をもって位置し、前記電気的駆動源の駆動により前記操作部が前記所定の間隙を移動し第一作用部に当接したときには、前記ストッパー部が隣接又は当接する前記第一作用部又は第二作用部の回動軌跡上から離脱し、前記開閉部材が回動し得るようにした。詳しくは、前記開閉部材の閉状態において第一作用部及び第二作用部は操作部の揺動軌跡上に位置し、第二作用部は常に操作部の揺動軌跡上に位置している。この発明における間隙は、伝達部材の作動時に係合部がこの間隙分移動してストッパー部が第一作用部又は第二作用部の回動軌跡上から外れ得る移動量となるように設定される。これにより、常態ではストッパー部が前記第一作用部又は第二作用部の回動軌跡内に位置して、開閉部材の外部からの開放を阻止し、電気的駆動源の駆動によりストッパー部が第一作用部又は第二作用部の回動軌跡上から外れ、開閉部材を開状態とすることができる。
【００１１】
また、本発明の遊技機は、上記記載の遊技機用可変入賞装置を用いたことを特徴とする。
【００１２】
また、前記伝達部材は前記支軸の軸線方向と交差する方向に往復可動し、前記ストッパー部を前記伝達部材の往復可動方向に設けることができる。これにより、第二作用部がストッパー部に当接したときには伝達部材の往復可動方向と交差する方向に作用力が働くので、無用に伝達部材を可動させることがないので開閉部材を開放させることはない。
【００１３】
また、前記ストッパー部は前記回動軸を中心とした円弧状に形成して、開閉部材側からの回動力が確実に回動軸に向かうようにすることができる。
【００１４】
また、前記電気的駆動源は直進式のソレノイドであり、前記支軸の軸線方向と交差する方向に直進動するように設け、前記ストッパー部が電気的駆動源の駆動方向に設けるのがよい。これにより、第二操作部がストッパー部に当接したときには電気的駆動源の駆動方向と交差する方向に作用力が働くので、無用に伝達部材を可動させることがないので開閉部材を開放させることはない。また、ソレノイドを前記支軸の軸線方向と交差する方向に直進動するように設けることにより伝達部材と同様に前記開閉部材の可動領域と平行な領域内で往復可動するため、開閉部材を遊技盤の盤面に沿って回動させる場合には、可変入賞装置の前後方向（奥行き方向）をコンパクトにすることができる。ひいては、遊技盤の厚み内に駆動部を収めることができる。
【発明の効果】
【００１５】
本発明の可変入賞装置によると、電気的駆動源が非駆動状態で例えば外部からピアノ線やセル板等の不正道具を用いて開閉部材に対して開方向の回動力を加えられたとしても、第二作用部がストッパーに当接して開閉部材が開かないため、賞球を不当に獲得する不正行為を確実に防止することができる。
【００１６】
また、可変入賞装置としての通常の作動を確保しつつ可変入賞装置を可動させる部材・部位に不正防止機能を備えるようにしたので、不正防止用の専用部材を新たに作成する必要がなく不正防止用の部品点数を削減してコストの低減化を図ることができ、構造を簡素化して付加価値の高い可変入賞装置を提供することができる。また、このような可変入賞装置を遊技機に設けることにより、不正に遊技球を獲得する不正遊技のできない遊技機を実現することができる。
【図面の簡単な説明】
【００１７】
【図１】ぱちんこ機の正面図である。
【図２】可変入賞装置の斜視図である。
【図３】（ａ）は球受ユニットの前方分解斜視図であり，（ｂ）は球受ユニットの後方分解斜視図である。
【図４】（ａ）は駆動ユニットの前方分解斜視図であり，（ｂ）は駆動ユニットの後方分解斜視図である。
【図５】可変入賞装置の組付けを示す分解斜視図である。
【図６】可変入賞装置の正面断面図である。
【図７】可変入賞装置の側断面図である。
【図８】可変入賞装置の開閉部材の閉状態を示す説明図である。
【図９】可変入賞装置の開閉部材の開閉動作を示す作用説明図である。
【図１０】可変入賞装置の開閉部材の開状態を示す説明図である。
【図１１】（ａ）〜（ｃ）は他の伝達部材による開閉部材の開閉動作を示す作用説明図である。
【図１２】（ａ）〜（ｃ）はさらに他の伝達部材による開閉部材の開閉動作を示す作用説明図である。
【図１３】開閉部材の開状態におけるストッパー部と第一操作部の位置関係の他の実施例を示す説明図である。
【発明を実施するための形態】
【００１８】
以下、本発明の実施形態を図面を参照し、遊技機としてぱちんこ機を例にして説明する。ぱちんこ機１は、遊技場の設置枠に取付けるための外枠２を備え、その外枠２の正面一側にヒンジ機構を介して内枠３が回動可能に設けられ、他側を施錠装置によって開閉不能に施錠するようにしている。内枠３には、遊技盤５が装着されると共に、遊技盤５の正面を覆う透明板を備えた前面枠６が回動可能に設けられている。また、前面枠６の下方には遊技球を貯留する球受皿７が設けられ、球受皿７は貯留された遊技球を発射部に供給する上皿７ａと上皿７ａから溢れた余剰球を貯留する下皿７ｂとが上下に位置して設けられている。そして、球受皿７の右側に打球の弾発力を調節する操作ハンドル９が設けられている。
【００１９】
遊技盤５は、略方形状に形成され、所定の幅員を有するガイドレール１０により前面枠６の透明板との間に略円形の遊技領域５ａが形成され、その略中央領域に可変表示装置１１が設けられている。そして、その下方に可変表示装置１１の画像を変動させる始動入賞口１２が設けられている。また、可変表示装置１１の側方に可変表示装置１１の表示結果により扉部材を開閉して多量の入賞を可能とする所謂アタッカータイプの大入賞口１４が設けられ、その上方に大当たり後の所定条件により開閉し、可変表示装置１１の画像を変動させる始動口として所謂片開き式の電チュータイプの可変入賞装置１３が設けられ、右打ちにより開閉部材１９が遊技盤５の盤面に沿って開閉して可変入賞装置１３に入賞するようにしている。なお、始動入賞口１２は常に遊技球の入賞が可能であるが、可変入賞装置１３は開閉部材１９が開状態のときのみ遊技球の入賞が可能であり、開閉部材１９が閉鎖しているときは入賞できない。また、可変入賞装置１３に対応して通過センサ１６ａを備えた通過ゲート１６が設けられ、所定の条件下で遊技球が通過ゲート１６を通過して通過センサ１６ａに検出されると抽選が行われ、その抽選結果により可変入賞装置１３が開閉するようになっている。そして、遊技領域５ａの最下端には始動入賞口１２や可変入賞装置１３，大入賞口１４に入賞しなかった遊技球がアウト球として流出するアウト口１５が設けられている。
【００２０】
可変入賞装置１３は、図２及び図６に示すように台板１８の前面に開閉部材１９が支軸２０により回動自在に設けられると共に開閉部材１９の側周を囲うように球受枠体２１が設けられている。そして、台板１８の後方には開閉部材１９を駆動する電気的駆動源及び駆動源の駆動を開閉部材１９に伝達する伝達部材２５を備える支持枠体２８が設けられる。なお、実施例では電気的駆動源としてソレノイド２９を使用し、伝達部材２５はソレノイド２９と連係するスライダー３７と開閉部材１９と連係する作動部材３８とで構成している。また、台板１８には、開閉部材１９の開放時に入賞した遊技球が通過する入賞口２２が開設されると共に、支軸２０を軸支する有底の軸孔６１が設けられ、開閉部材１９の回動を許容する開口溝２３がその軸孔６１（支軸２０）を中心とした円弧状に形成されている。そして、後面側には支持枠体２８を取付けるボス及び補強を兼ねたリブ壁が支持枠体２８を囲うように設けられている。
【００２１】
球受枠体２１は、図３に示すように合成樹脂により前板部２１ａと周壁２１ｂと球受通路２１ｃを有し、側方の周壁２１ｂを一部切欠して入賞開口３０を形成している。そして、前板部２１ａの前面に印刷・シールを貼着する等して装飾効果を高めるようにしている。また、前板部２１ａの後方に開閉部材１９を回動自在に軸支する支軸２０が台板１８と略直交するように突設され、入賞開口３０の開口端及び球受通路２１ｃの端部に開閉部材１９の開閉位置を規制する規制部３２ａ，３２ｂが設けられている。そして、球受通路２１ｃには入賞開口３０から入賞した入賞球を入賞口２２に円滑に誘導する案内リブ３３が形成されている。
【００２２】
開閉部材１９は、図３に示すように翼形状をしており、下方部に支軸２０が前後方向に挿通される軸孔３４が貫設されている。そして、開閉部材１９は入賞開口３０を開閉するように支軸２０を中心として回動するように装着される。また、開閉部材１９の前面下端に球受枠体２１に設けられた規制部３２ａ，３２ｂに衝止して開閉部材１９の開閉状態を決定する規制片３５が設けられている。そして、図５に示すように開閉部材１９の背面側に支軸２０に対して偏心して同心状に互いに位置をずらして、作動部材３８が開閉部材１９を開方向に作用させるときに係合（連係）する軸状の第一作用部３９と開閉部材１９を閉方向に作用させるときに係合（連係）する軸状の第二作用部４０が所定間隔をもって支軸２０の軸線方向に平行状に突設されている。具体的には支軸２０を挟んで略左右対照的に支軸２０より上方に位置して、第一作用部３９は開閉部材１９の外方に、第二作用部４０は開閉部材１９の内方に位置して設けられ、その軌道は支軸２０を中心として各々が上下方向に回動する円弧状となる。なお、実施例において、第二作用部４０は真鍮等の金属ピンが重錘を兼ねて使用され、常態で重心位置が閉方向に付勢するようにしている。したがって、開閉部材１９の重心位置は、開閉部材１９が所定の角度傾倒した状態（図６二点鎖線参照）を平衡位置として、それを境に閉方向又は開方向に付勢するように位置している。また、第一作用部３９及び第二作用部４０は、図５に示すように台板１８に開設した開口溝２３を介して作動部材３８と係合し、開口溝２３は第一作用部３９及び第二作用部４０の回動軌跡（移動軌跡）と同様の円弧状に形成されている。なお、開閉部材１９の重心位置は、常に閉方向に付勢するようにしてもよい。
【００２３】
支持枠体２８には、図４に示すように入賞口２２に連通する通路部４２が形成され、その途中に入賞球を検知する球検知スイッチ６０が設けられている。また、電気的駆動源として支軸２０の軸線と交差する方向に直線的に変位するプランジャ４３及びプランジャ４３を突出方向に付勢するスプリング４４を備えたソレノイド２９が設けられると共に、プランジャ４３に連係してソレノイド２９の駆動力を開閉部材１９に伝達する伝達部材２５が設けられ、駆動ユニットＡを構成している。伝達部材２５は、ソレノイド２９のプランジャ４３に固設されソレノイド２９の駆動に伴って直線移動するスライダー３７と、支軸２０と平行な回動軸４５により揺動自在に設けられスライダー３７と連係し開閉部材１９を可動させる作動部材３８とを含んで構成されている。また、支持枠体２８には、スライダー３７の移動方向を規制するガイド突起４８が設けられている。
【００２４】
スライダー３７は、図４に示すようにプランジャ４３に固定する固定枠４７に、支持枠体２８のガイド突起４８に遊嵌してガイドされる長孔４９が形成され、作動部材３８と連係する連係溝５０がプランジャ４３の進退方向と交差する方向に形成されている。また、作動部材３８は、所定の幅員を有する薄板アーム形状の一端に支持枠体２８に設けられる回動軸４５に遊合軸支する円筒軸支部５２がスライダー３７の可動空間を形成するように後方に突出して設けられ、他端側に開閉部材１９と連係する操作部５３が設けられる。そして、背面側に連係溝５０に遊嵌される突部５４が形成され、前面側に台板１８と当接して前後方向のガタつきを規制する先端球面状の突起５５が形成されている。操作部５３は、第一作用部３９及び第二作用部４０の間に位置し、第一作用部３９を操作する第一操作部５３ａと第二作用部４０を操作する第二操作部５３ｂを有し、第二操作部５３ｂの近傍位置で隣接又は当接して配置され、開閉部材１９の閉状態において開閉部材１９の開動作における開閉部材１９の移動を作動部材３８の可動方向に交差する方向で第二作用部４０を受け止め係合して開閉部材１９の回動を阻止するストッパー部５７を備えている。具体的には、第二操作部５３ｂは段状に形成され、作動部材３８の往復動方向に設けたその段差部の水平面をストッパー部５７として形成している。なお、実施例において作動部材３８を回動軸４５に垂下して揺動するように設けたが、支軸２０より下側で軸支して揺動するようにしてもよい。
【００２５】
駆動ユニットＡは、図５に示すように作動部材３８を回動軸４５に揺動自在に軸支し、プランジ４３ャにスライダー３７を固設したソレノイド２９を支持枠体２８に配置する。このとき、スライダー３７の連係溝５０を作動部材３８の突部５４を遊嵌し、長孔４９にガイド突起４８を遊嵌させている。そして、カバー部材５８を支持枠体２８にビス着することでソレノイド２９の駆動によりスライダー３７がスライドし、それに連動して作動部材３８が揺動するように駆動ユニットＡが組付けられる（図５参照）。つまり、ソレノイド２９の駆動によるプランジャ４３と共動するスライダー３７の直線移動を受けて、作動部材３８を動きの異なる揺動運動に変換して、作動部材３８の揺動運動を同軸方向の開閉部材１９に伝達し、開閉部材１９を回動させて入賞開口３０開放するようにしている。このとき、作動部材３８は、開閉部材１９の可動領域と平行な領域内で往復可動する。
【００２６】
上記構成の可変入賞装置１３の組立は、先ず球受枠体２１に軸支された支軸２０に開閉部材１９の軸孔３４を挿通して開閉部材１９を開閉自在に装着し、この球受枠体２１を台板１８にビス着して図５に示す球受ユニットＢを組立てる。このとき、支軸２０は台板１８の軸孔６１に軸支され、開閉部材１９の第一作用部３９及び第二作用部４０が台板１８の開口溝２３から後方に臨んでいる（図５参照）。次に、開閉部材１９を閉状態とした駆動ユニットＡを、作動部材３８の操作部５３が開閉部材１９の第一作用部３９及び第二作用部４０の間に位置し、第一作用部３９及び第二作用部４０が操作部５３の揺動軌跡上に位置するように台板１８にビス着することで、ソレノイド２９の駆動により開閉部材１９が入賞開口３０への遊技球の入賞が阻止される閉鎖位置から入賞開口３０への遊技球の入賞が許容される開放位置の間で開閉するように組み立てられる。つまり、駆動ユニットＡと球受ユニットＢを組み付けることで、図７に示すように入賞口２２と通路部４３が連通し、入賞開口３０から入賞した遊技球が入賞口２２を介して通路部４３に導かれるように可変入賞装置１３が組立てられる。このとき、図６及び図８に示すように開閉部材１９は起立状態にあって入賞開口３０を閉鎖しており、可変入賞装置１３を正面視して、回動軸４５の略直下（略鉛直状）に開閉部材１９の支軸２０が位置し、スプリング４４の付勢により第一操作部５３ａが第一作用部３９と所定の間隙Ｃを有して対向位置し、第二操作部５３ｂが第二作用部４０の側方に近接すると同時にストッパー部５７が第二作用部４０の上方に近接している。言い換えれば、ストッパー部５７が支軸２０より回動軸４５側に位置すると共に第二作用部４０の回動軌跡（移動軌跡）上に位置し、第二作用部４０の開方向の初動方向が回動軸４５方向（上方向）に回動するようになっている。このとき、第二作用部４０は常に操作部５３の揺動軌跡上に位置し、第一作用部３９は第二作用部４０と逆方向（下方向）に回動し開閉部材１９の開状態で操作部５３の揺動軌跡上から離脱する。また、図面上回動軸４５の軸心と支軸２０の軸心との距離が、回動軸４５の軸心から第二作用部４０とストッパー部５７の当接位置を経由して支軸２０の軸心までの距離より短く（回動軸４５の軸心と支軸２０の軸心との距離＜回動軸４５の軸心から第二作用部４０とストッパー部５７の当接位置の距離＋支軸２０の軸心から第二作用部４０とストッパー部５７の当接位置の距離）設定している。なお、所定の間隙Ｃは、ソレノイド２９の励磁により作動部材３８が揺動して、第一操作部５３ａがこの間隙Ｃの距離分移動して第一作用部３９に当接して開閉部材１９を回動させる際に、ストッパー部５７が第二作用部４０の回動軌跡上から退避する移動量となるように設定される。
【００２７】
次に、上記のように組立てられた可変入賞装置１３を遊技盤５に設けた動作について説明する。遊技者が操作ハンドル９を操作して上皿７ａに貯留される遊技球を遊技領域５ａに打ち込むと遊技球は遊技領域５ａを流下し、始動入賞口１２に入賞すると可変表示装置１１の表示が変動して所定の図柄表示（例えば「７７７」）で停止すると特別遊技状態「大当たり」となり所定時間又は所定回数大入賞口１４の扉を開放して、右打ちにより入賞球を発生させて図示しない球払出装置から大量の賞球が球受皿７に払い出される。このとき、可変入賞装置１３は、ソレノイド２９が消磁した常態にある。そして、プランジャ４３は図８に示すようにスプリング４４の付勢により突出位置にあり、開閉部材１９が作動していない遊技者にとって不利な閉状態である。このとき、作動部材３８が図８に示す左側方に揺動した状態にあり、第一作用部３９が第一操作部５３ａから所定間隙Ｃ離れ、第二作用部４０がストッパー部５７の直下に位置する（ストッパー部５７が第二作用部４０の回動範囲内に位置する）と共に第二操作部５３ｂの下部側近に略接触状態で位置している。これにより、開閉部材１９は、ソレノイド２９が消磁した常態では自重により規制片３５が規制部３２ａに衝止して、入賞開口３０を閉鎖するように起立しており、このとき、無用に開閉部材１９を開方向に作動させる作用が働いたとしても、第二作用部３９がすぐにストッパー部５７に当接することにより上向きの回動作が規制されるため、開閉部材１９の回動作が阻止され、開閉部材１９の誤作動を防止して遊技球を受け入れ難い閉状態を維持することができる。
【００２８】
また、大当たり終了後、右打ちにより遊技球が通過ゲート１６を通過して通過センサ１６ａに検知され、その抽選結果により開閉部材１９を開閉する。詳しくは、図９に示すようにソレノイド２９を励磁すると、プランジャ４３はスプリング４４の付勢に抗して後退し、作動部材３８が回動軸４５を中心に右側方へ揺動する。このとき、作動部材３８は開閉部材１９と平行状に揺動する。そして、第一操作部５３ａが間隙Ｃの距離を移動して、第一作用部３９に接触して開閉部材１９を開方向に回動させる。このとき、第一操作部５３ａが間隙Ｃの距離を移動すると、図８要部正面図に示すようにストッパー部５７が同様に移動して第二作用部４０の回動軌跡から離脱して回動阻止状態を解除する。そして、作動部材３８がさらに揺動して第一操作部５３ａで第一作用部３９を開方向に回動させると、開閉部材１９は自重により開方向に回動して規制片３５が規制部３２ｂに当接することで、開閉部材１９は遊技者にとって有利な全開状態となり遊技球が入賞し易くなる。このとき、第二作用部４０は第二操作部５３ｂの上部側方に位置している。このように、ソレノイド２９により作動部材３８を可動させる場合にのみ、第二作用部４０はストッパー部５７と干渉することはない。つまり、開閉部材１９はソレノイド２９の駆動時にのみ開閉動作を行うことができる。
【００２９】
その後、ソレノイド２９が消磁して作動を解除すると、プランジャ４３がスプリング４４の付勢により図８に示す突出位置まで戻ることによりスライダー３７がスライド移動し、作動部材３８は回動軸４５を中心に左側方に揺動する。これに伴い第二操作部５３ｂが第二作用部４０に接触し押圧することで第二作用部４０を回動して開閉部材１９を閉方向に回動する。そして、第二作用部４０が所定位置まで回動すると、開閉部材１９が自重により閉状態に復動してストッパー部５７が第二作用部４０の回動軌跡内に入り込み、開閉部材１９の誤作動を防止する。
【００３０】
一方、図６及び図８に示す開閉部材１９の閉状態において、外部からピアノ線又はセル板等の不正道具を遊技領域５ａに侵入させて開閉部材１９に引掛けて、開閉部材１９に対して無理矢理開方向の回動力が加えられると、第二作用部４０が支軸２０を中心として回動し始めようとするも、ストッパー部５７が第二作用部４０の回動軌跡内に位置しているため第二作用部４０がストッパー部５７に当接する。そして、第二作用部４０がストッパー部５７に当接することにより第二作用部４０は開閉部材の開方向への動作が規制され、開閉部材１９を開状態への移行を阻止して閉状態を維持させる。しかも、第二作用部４０の衝止方向が作動部材３８の回動軸方向に作用するため、作動部材３８を揺動させる作用力も働かず開閉部材１９を開放させることはない。また、作動部材３８を揺動させる作用力を回動軸４５で受けるため、スライド部材３７及びソレノイド２９に負荷がかかることがなく、駆動源が破損する不具合を引き起こすことがない。なお、ストッパー部５７を、回動軸４５を中心とする円弧面に形成することにより、開閉部材１９を無理矢理に開けようとする強制操作力は確実に回動軸４５にかかるため作動部材３８が揺動することはなく、開閉部材１９を開放させることはない。
【００３１】
以上説明したように、本実施形態に係る可変入賞装置１３は、ソレノイド２９の駆動力を伝達する作動部材３８の操作部５３に開閉部材１９の背面側の第二作用部４０の回動を阻止するストッパー部５７を設けたので、ソレノイド２９が非駆動状態で開閉部材１９を開放しようとしても第二作用部４０がストッパー部５７に衝止して、開閉部材１９の開方向への回動が阻止される。そして、ソレノイド２９の駆動時にはストッパー部５７が第二操作部５３ｂの回動軌道から外れ回動阻止を解除し、開閉部材１９が開放される。つまり、開閉部材１９はソレノイド２９の駆動時にのみ開放される。
【００３２】
このように、本実施形態に係る可変入賞装置１３は、可変入賞装置１３としての通常の作動を確保しつつ可変入賞装置１３を可動させる部材・部位（作用部、操作部）に不正防止機能を備えるようにしたので、不正防止のための専用部材を別途作成する必要がなくコストの低減化を図ることができ、組立てが煩雑化することがない。また、ソレノイド２９を支軸２０の軸線方向と交差する方向に直進動するように設けることにより伝達部材２５と同様に開閉部材１９の可動領域と平行な領域内で往復可動するため、図１に示すぱちんこ機１のように開閉部材１９を遊技盤５の盤面に沿って回動させる場合には、可変入賞装置１３の前後方向（奥行き方向）をコンパクトにすることができる。ひいては、図７に示すように遊技盤５の厚み内に駆動部（駆動ユニットＡ）を収めることができる。
【００３３】
また、上記実施例では開閉部材１９の閉状態において、ストッパー部５７により第二作用部４０の移動を阻止して開閉部材１９の閉状態を維持するようにしたが、図１１に示すようにストッパー部５７により第一作用部３９の移動を阻止して開閉部材１９の閉状態を維持するようにしてもよい。この実施例では、ストッパー部５７は作動部材３８から鉤状に側方に突出して設けられ、作動部材３８の可動方向に交差する方向で受け止め可能な位置に、第一作用部３９に対し隣接又は当接するように第一作用部３９を上方から囲うように設けている。このとき、ストッパー部５７の端部と第一操作部５３ａとの間隔は、第一作用部３９が通過可能な間隔としている。図１１（ａ）に示す開閉部材の閉状態において、操作部５３は第一作用部３９と第二作用部４０との間に位置すると共に第一作用部４０と所定の間隙Ｃをもって位置し、図１１（ｂ）に示すようにソレノイド２９の駆動により操作部５３が所定の間隙Ｃを移動し、第一操作部５３ａが第一作用部３９に当接したときには、ストッパー部が第一作用部３９の回動軌跡上から離脱し、図１１（ｃ）に示すようにさらに作動部材３８が揺動して開閉部材１９が回動し開状態となる。そして、ソレノイド２９が消磁するとスプリング４４の付勢により作動部材３８が揺動復帰して、第二操作部５３ｂで第二作用部４０を操作して開閉部材１９を閉方向へ回動させ、開閉部材１９が所定角度回動すると自重により起立して図１１（ａ）に示す閉状態となる。
【００３４】
また、実施例において電気的駆動源の駆動力を開閉部材１９に伝達し、この開閉部材１９を起立又は傾倒させる伝達部材２５を、電気的駆動源（ソレノイド２９）に固設するスライダー３７と作動部材３８とで構成するようにしたが、ソレノイド２９のプランジャ４３を作動部材３８と直接連係させて開閉部材１９を開閉させるようにしてもよい。さらに、図１２に示すようにスライダー３７Ａに開閉部材１９と連係する操作部５３を設け、第一作用部３９及び第二作用部４０と連係して開閉部材１９を回動させる第一操作部５３ａ及び第二操作部５３ｂを設けて開閉部材１９を開閉させるようにしてもよい。この実施例において、スライダー３７Ａは支軸２０の軸線に対して略直交する面方向に沿って往復動する。図１２（ａ）に示すソレノイド２９が消磁した常態では、ストッパー部５７が第二操作部４０の回動軌跡内に位置して、第二操作部４０の回動を阻止している。そして、ソレノイド２９の励磁によりスライダー３７Ａが支軸２０の軸線と交差する方向にスライド移動して、図１２（ｂ）に示す第一操作部５３ａが第一作用部３９に当接するまでの間隙Ｃの距離を移動すると、ストッパー部５７が第二操作部４０の回動軌跡内から脱離して、第二操作部４０の回動を許容して開閉部材１９を回動させ、開閉部材１９が所定角度回動すると開閉部材１９の自重により図１２（ｃ）に示す全開状態となる。
【００３５】
なお、実施例において、ストッパー部５７を第二作用部４０に隣接又は当接して設け、第一作用部３９を操作部５３（第一操作部５３ａ）と所定の間隙Ｃをもって設けるようにしたが、図１３に示すように第二作用部４０を操作部５３（第二操作部５３ｂ）に隣接又は当接して設け、第二作用部４０をストッパー部５７と所定の間隙Ｃ１をもって設けるようにしてもよい。このとき、間隙Ｃ１は開閉部材１９が外部の力により閉状態から僅かに可動しても入賞開口３０から遊技球が入賞しない距離に設定される。このようにすることで、ソレノイド２９の駆動によりすぐに第一操作部５３ａが第一作用部３９に作用するので、タイムラグがなく開閉部材１９を開状態にすることができる。また、実施例において電気的駆動源を直動式のソレノイドとしたが正逆モータ，ロータリーソレノイドであってもよい。また、可変入賞装置を翼形状の開閉部材１９を開閉する所謂片開きチューリップタイプとしたが、扉部材を前後方向に開閉する所謂アタッカータイプの入賞口にも適応可能である。
【００３６】
また本発明は、実施例において遊技機をぱちんこ機として説明したが、遊技球を遊技媒体とする雀球遊技機，アレンジボール式遊技機等の弾球遊技機にも適応可能である。
【符号の説明】
【００３７】
１              ぱちんこ機（遊技機）
１３            可変入賞装置
１９            開閉部材
２０            支軸
２５            伝達部材
２９            ソレノイド（電気駆動源）
３７，３７Ａ    スライダー（伝達部材）
３８            作動部材（伝達部材）
３９            第一作用部
４０            第二作用部
４５            回動軸
５３            操作部
５３ａ          第一操作部
５３ｂ          第二操作部
５７            ストッパー部
Ｃ，Ｃ１        間隙
【図１】
0005557376.tif 000002
【図２】
0005557376.tif 000003
【図３】
0005557376.tif 000004
【図４】
0005557376.tif 000005
【図５】
0005557376.tif 000006
【図６】
0005557376.tif 000007
【図７】
0005557376.tif 000008
【図８】
0005557376.tif 000009
【図９】
0005557376.tif 000010
【図１０】
0005557376.tif 000011
【図１１】
0005557376.tif 000012
【図１２】
0005557376.tif 000013
【図１３】
0005557376.tif 000014